(57)【要約】      （修正有）【課題】クライアントデバイスがアクセスできるデータ記憶デバイスを備えたサーバを含む、機械を点検するシステムを提供する。【解決手段】システム１００は、通信ネットワークを介してサーバに動作可能に結合された可動点検ツール１１５を含むことができる。可動点検ツールは、機械ユニット１２５の点検を実行する要求を受信し、点検を実行する際にユーザを誘導するグラフィカルユーザインタフェースを提供し、機械ユニットの識別を受信し、質問をユーザに提供し、ユーザから回答を受信するように動作することができる。回答は、機械ユニットの欠陥に関係していることがある。可動点検ツールは、さらに、デジタル測定ツール１２０が測定した欠陥値などの測定入力を取得し、サーバ１０５に、それらの回答および測定入力をデータ記憶デバイス１１０に記憶させるように動作することができる。【選択図】図１
2018037065.tif 000002
【特許請求の範囲】
【請求項１】
機械（１２５）を点検するシステム（１００）であって、
少なくとも１つの通信ネットワークを介して複数のクライアントデバイス（１３０）がアクセス可能なデータ記憶デバイス（１１０）を含むサーバ（１０５）、ならびに
前記少なくとも１つの通信ネットワークを介して前記サーバ（１０５）に動作可能に結合された可動点検ツール（１１５）であり、
前記機械（１２５）の少なくとも１つのユニットの点検を実行する要求を受信する動作と、
前記点検を実行する際に前記可動点検ツール（１１５）のユーザを誘導するグラフィカルユーザインタフェースを提供する動作と、
前記グラフィカルユーザインタフェースを介して点検対象の前記機械（１２５）の前記ユニットの識別を受信する動作と、
前記識別に基づいて、前記グラフィカルユーザインタフェースを介して複数の質問を前記ユーザに提供する動作と、
前記複数の質問に応答して、前記ユーザから少なくとも１つの回答を受信する動作であり、前記少なくとも１つの回答が前記機械（１２５）の前記ユニットの欠陥に関係している動作と、
前記機械（１２５）の前記ユニットの前記欠陥に関連する少なくとも１つの測定入力を取得する動作と、
前記サーバ（１０５）に、前記回答のうちの前記少なくとも１つおよび前記少なくとも１つの測定入力を前記データ記憶デバイス（１１０）に記憶させる動作と
を実行するように動作可能な可動点検ツール（１１５）を備える、システム（１００）。
【請求項２】
前記可動点検ツール（１１５）が、
時間および日付を前記少なくとも１つの回答および前記少なくとも１つの測定入力と関連付ける動作と、
前記少なくとも１つの回答および前記少なくとも１つの測定入力にメタデータタグを割り当てる動作であり、前記メタデータタグが前記機械（１２５）の前記ユニットと関連付けられる動作と
を実行するように動作可能である、請求項１記載のシステム（１００）。
【請求項３】
前記機械（１２５）の前記ユニットの前記識別が、前記機械（１２５）の前記ユニットに関連するシリアルナンバーを含む、請求項１記載のシステム（１００）。
【請求項４】
前記複数の質問のうちの少なくとも１つが、前記欠陥を位置特定および測定する際に前記ユーザを誘導する、請求項１記載のシステム（１００）。
【請求項５】
前記少なくとも１つの回答が、前記機械（１２５）の前記ユニットの選択された標準化された欠陥を含む、請求項１記載のシステム（１００）。
【請求項６】
前記可動点検ツール（１１５）と動作可能に通信するデジタル測定ツール（１２０）をさらに備え、前記可動点検ツール（１１５）が、
前記デジタル測定ツール（１２０）に前記欠陥を測定させて測定値を生成させる動作と、
前記デジタル測定ツール（１２０）から前記測定値をワイヤレスに受信する動作であり、前記測定値が前記少なくとも１つの測定入力の少なくとも一部を含む動作と
を実行するようにさらに動作可能である、請求項１記載のシステム（１００）。
【請求項７】
前記少なくとも１つの測定入力が、前記欠陥の画像またはビデオを含む、請求項１記載のシステム（１００）。
【請求項８】
前記回答のうちの前記少なくとも１つおよび前記少なくとも１つの測定入力が、複数のクライアントデバイス（１３０）および複数の可動点検ツール（１１５）が利用可能なデータコンテナに記憶され、
前記データコンテナに関連するデータが、検索および問合せに利用可能である、請求項１記載のシステム（１００）。
【請求項９】
前記可動点検ツール（１１５）および前記サーバ（１０５）のうちの少なくとも１つが、
前記データ記憶デバイス（１１０）に記憶された前記少なくとも１つの回答および前記少なくとも１つの測定入力に基づいて損傷蓄積モデルを構築する動作と、
前記損傷蓄積モデルに基づいて、前記機械（１２５）の前記ユニットの故障を予測する動作と
を実行するようにさらに動作可能である、請求項１記載のシステム（１００）。
【請求項１０】
ターボ機械設備（１２５）を点検する方法（２００）であって、
可動点検ツール（１１５）が、ターボ機械設備（１２５）の少なくとも１つのユニットを点検する要求を受信するステップ（２０５）と、
ターボ機械設備（１２５）の前記ユニットの点検を実行する際に前記可動点検ツール（１１５）のユーザを誘導するための、前記可動点検ツール（１１５）と関連付けられたグラフィカルユーザインタフェースを提供するステップ（２１０）と、
前記グラフィカルユーザインタフェースを介して点検対象のターボ機械設備（１２５）の前記ユニットの識別を受信するステップ（２１５）と、
前記識別に基づいて、前記グラフィカルユーザインタフェースを介して複数の質問を前記ユーザに提供するステップ（２２０）と、
前記複数の質問に応答して、前記可動点検ツール（１１５）が少なくとも１つの回答を受信するステップ（２２５）であり、前記少なくとも１つの回答がターボ機械設備（１２５）の前記ユニットの欠陥に関係しているステップ（２２５）と、
ターボ機械設備（１２５）の前記ユニットの前記欠陥に関連する少なくとも１つの測定入力を取得するステップ（２３０）と、
サーバ（１０５）が、前記少なくとも１つの回答および前記少なくとも１つの測定入力をデータ記憶デバイス（１１０）に記憶するステップ（２３５）と
を含む、方法（２００）。
【発明の詳細な説明】
【技術分野】
【０００１】
本開示は、機械設備の点検に関する。さらに詳細には、本開示は、ターボ機械などの機械設備を点検するシステムおよび方法に関する。
【背景技術】
【０００２】
機械設備は、現代の産業で広く使用されている。例えば、発電産業、石油／ガス産業、航空機産業、製造機器などでも機械設備が見られる。通常は、機械が動作するうちに、機械の部品またはユニットが劣化し、摩耗および断裂、腐食、亀裂、割れ、変形、電気的故障、ならびに機器の動作および有効性に悪影響を及ぼすその他の状態など、望ましくない状態に陥ることがある。例えば、タービン翼は、時間とともに割れまたは変形などの機械的損傷を生じ、それがタービンの異常振動、または故障停止にもつながる可能性がある。
【０００３】
機械設備を定期的に点検、検査、および試験することは、機械設備の適切な所期の動作を長期間にわたって維持するために有用である可能性がある。特定の例では、多くの産業では、所定の試験および定期的な測定を実行することを求める点検規則がある。点検者は、通常は、点検テンプレートスプレッドシートを使用して、特定の試験動作に関するメモをとる。残念ながら、点検テンプレートメモは、手書きであることが多く、そのために集約して分析することが困難になっている。さらに、点検テンプレートは、点検位置によって一様でないことが多い。例えば、点検者は、特定の機械ユニットに関する特定の損傷または問題を記述するのに、いかなる標準も使用していないことがある。したがって、ほとんど同じ問題に対して異なる説明がなされ、それにより点検データを分析することが困難になることがある。
【０００４】
さらに、点検者は、試験している機械設備の複雑さのために機械設備を適切に検査することができないことがある。例えば、航空機のエンジンは、数百万個の部品を有することがある。特定のエンジン部品を位置特定し、所定の標準に従ってそれらを検査することは、時間がかかる困難な作業である可能性がある。点検者は、必ずしも点検ガイドラインを入手できるとは限らず、あるいは、特に新型の機械設備を扱うときには、特定のテストの実行方法を知らないこともある。したがって、点検は、大体において、産業によって、または同じ組織でも場所によって一様ではない手作業のプロセスであり、計画し、実行し、分析するために、大量のリソースおよび時間を要する。
【発明の概要】
【０００５】
本開示は、ターボ機械設備などの機械設備を点検するシステムおよび方法に関する。本開示の特定の実施形態は、点検プロセスを簡略化および一様化することができ、特定の致命的な機械の故障を検出し、予測し、最小限に抑えることを容易にすることができる。
【０００６】
本開示の１つの例示的な実施形態によれば、機械を点検するシステムが提供される。このシステムは、少なくとも１つの通信ネットワークを介して１つまたは複数のクライアントデバイスがアクセス可能なデータ記憶デバイスを含むサーバを含むことができる。このシステムは、上記の少なくとも１つの通信ネットワークを介してサーバに動作可能に結合された可動点検ツールも含む。可動点検ツールは、機械のユニットの点検を実行する要求を受信する動作と、点検を実行する際に可動点検ツールのユーザを誘導するグラフィカルユーザインタフェースを提供する動作と、グラフィカルユーザインタフェースを介して点検対象の機械のユニットの識別を受信する動作とを実行するように動作可能にすることができる。機械のユニットの識別は、その機械のユニットに関連するシリアルナンバーを含むことができる。この識別に基づいて、可動点検ツールは、グラフィカルユーザインタフェースを介して１つまたは複数の質問をユーザに提供するように動作可能である。これらの質問は、欠陥を位置特定および測定する際にユーザを誘導することもできる。これらの質問に応答して、可動点検ツールは、ユーザから少なくとも１つの回答を受信するように動作可能であり、この少なくとも１つの回答は、機械のユニットの欠陥に関係している。特定の実施形態では、これらの回答のうちの一部または全てが、機械のユニットの選択された標準化された欠陥を含むことができる。可動点検ツールは、さらに、機械のユニットの欠陥に関連する少なくとも１つの測定入力を取得し、サーバに、回答のうちの少なくとも１つおよび少なくとも１つの測定入力をデータ記憶デバイスに記憶させるように動作可能である。
【０００７】
特定の実施形態では、可動点検ツールは、時間および日付を少なくとも１つの回答および少なくとも１つの測定入力と関連付け、少なくとも１つの回答および少なくとも１つの測定入力にメタデータタグを割り当てるようにも動作可能である。メタデータタグは、機械のユニットと関連付けることができる。
【０００８】
特定の実施形態では、このシステムは、可動点検ツールと動作可能に通信するデジタル測定ツールをさらに含むことができる。可動点検ツールは、デジタル測定ツールに欠陥を測定させて測定値を生成させ、デジタル測定ツールから測定値をワイヤレスに受信するようにさらに動作可能にすることができ、この測定値は、少なくとも１つの測定入力の少なくとも一部を含む。測定入力は、欠陥の画像またはビデオを含むことができる。いくつかの実施形態では、回答のうちの少なくとも１つおよび少なくとも１つの測定入力は、１つまたは複数のクライアントデバイスおよび１つまたは複数の可動点検ツールが利用可能なデータコンテナに記憶され、データコンテナに関連するデータが検索および問合せに利用可能であるようになっている。
【０００９】
特定の実施形態では、可動点検ツールまたはサーバは、データ記憶デバイスに記憶された少なくとも１つの回答および少なくとも１つの測定入力に基づいて損傷蓄積モデルを構築し、この損傷蓄積モデルに基づいて、機械のユニットの故障を予測するようにも動作可能である。
【００１０】
本開示の別の例示的な実施形態によれば、ターボ機械設備を点検する方法が提供される。この方法は、可動点検ツールが、ターボ機械設備のユニットを点検する要求を受信するステップと、ターボ機械設備のユニットの点検を実行する際に可動点検ツールのユーザを誘導するための、可動点検ツールと関連付けられたグラフィカルユーザインタフェースを提供するステップと、グラフィカルユーザインタフェースを介して点検対象のターボ機械設備のユニットの識別を受信するステップとを含むことができる。ターボ機械設備のユニットの識別は、そのターボ機械設備のユニットに関連するシリアルナンバーを含むことができる。
【００１１】
この方法は、識別に基づいて、グラフィカルユーザインタフェースを介して複数の質問をユーザに提供するステップも含むことができる。これらの質問のうちの少なくとも１つは、欠陥を位置特定および測定する際にユーザを誘導する。これらの質問に応答して、可動点検ツールは少なくとも１つの回答を受信し、少なくとも１つの回答は、機械設備のユニットの欠陥に関係している。さらに、一部の回答は、機械設備のユニットの選択された標準化された欠陥を含むことができる。この方法では、さらに、ターボ機械設備のユニットの欠陥に関連する少なくとも１つの測定入力を取得し、サーバが、少なくとも１つの回答および少なくとも１つの測定入力をデータ記憶デバイスに記憶する。
【００１２】
特定の実施形態では、この方法は、時間および日付を少なくとも１つの回答および少なくとも１つの測定入力と関連付けるステップと、少なくとも１つの回答および少なくとも１つの測定入力にメタデータタグを割り当てるステップとをさらに含むことができ、各メタデータタグは、機械設備のユニットと関連付けることができる。
【００１３】
特定の実施形態では、欠陥に関連する測定入力は、可動点検ツールがデジタル測定ツールに欠陥の測定値を決定させ、デジタル測定ツールからその測定値をワイヤレスに受信することによって取得することができる。測定入力は、欠陥の画像またはビデオを含むことができる。
【００１４】
特定の実施形態では、回答および測定入力は、１つまたは複数のクライアントデバイスおよび１つまたは複数の可動点検ツールが利用可能なデータコンテナに記憶して、データコンテナが検索および問合せするように動作可能なデータベースの一部となるようにすることができる。
【００１５】
特定の実施形態では、この方法は、データ記憶デバイスに記憶された少なくとも１つの回答および少なくとも１つの測定入力に基づいて損傷蓄積モデルを構築するステップと、損傷蓄積モデルに基づいて、ターボ機械設備のユニットの故障を予測するステップとをさらに含むことができる。
【００１６】
特定の実施形態では、この方法は、サーバが、ターボ機械設備の複数のユニットに関係する点検データをデータ記憶デバイスに収集するステップであり、点検データが、少なくとも１つの回答および少なくとも１つの測定入力を含むステップと、サーバが、点検データを定期的に評価するステップと、この評価に基づいて、ターボ機械設備の上記の複数のユニットから、点検のためのターボ機械設備の１つの候補ユニットを選択するステップとをさらに含むことができる。
【００１７】
本開示のさらに別の例示的な実施形態によれば、ソフトウェアコードを記憶した非一時的プロセッサ可読媒体が提供される。ソフトウェアコードが１つまたは複数のプロセッサによって実行されると、これらのソフトウェアコードは、その１つまたは複数のプロセッサに、上述したターボ機械設備を点検する方法を実施させる。
【００１８】
その他の実施形態、システム、方法、特徴、および態様は、以下の説明を以下の図面と関連付けて読めば明らかになるであろう。
【図面の簡単な説明】
【００１９】
【図１】本開示の特定の実施形態によるターボ機械設備を点検する例示的なシステムを示すブロック図である。
【図２】本開示の特定の実施形態によるターボ機械設備を点検する例示的な方法を示す流れ図である。
【図３】本開示の特定の実施形態によるターボ機械設備を点検する例示的なコンピューティングシステムを示すブロック図である。
【発明を実施するための形態】
【００２０】
以下の詳細な説明は、その詳細な説明の一部を構成する添付の図面を参照することを含む。これらの図面は、例示的な実施形態による例示を示すものである。本明細書では「例」とも呼ばれるこれらの例示的な実施形態について、当業者が本主題を実施できるように詳細に説明する。請求する主題の範囲を逸脱することなく、これらの例示的な実施形態を組み合わせることもできるし、その他の実施形態を利用することもできるし、あるいは構造的、論理的、または電気的変更を加えることもできる。したがって、以下の詳細な説明は、限定的な意味で解釈すべきものではなく、その範囲は、添付の特許請求の範囲およびその均等物によって定義される。
【００２１】
本開示の特定の実施形態は、ターボ機械などの機械設備を点検するシステムおよび方法を含み得る。本明細書に与える特定の実施形態ではターボ機械の点検について述べているが、その他の機械または機器も、本文書に記載する原理を使用して点検することができる。開示するシステムおよび方法の特定の実施形態は、機械設備の点検プロセスを容易にし、点検データ収集の一様性を向上させ、点検データの分析および機械設備の故障の予測を可能にする単一の点検データ記憶装置を提供することができる。
【００２２】
本開示の特定の実施形態によれば、機械を点検するシステムは、サーバと、点検者の少なくとも１つの可動点検ツールとを含むことができる。可動点検ツールは、タブレットコンピュータ、ボアスコープ、ラップトップコンピュータ、スマートフォンなどを含み得る。可動点検ツールは、１つまたは複数の通信ネットワークを介してサーバに動作可能に接続することができる。可動点検ツールは、点検者が本明細書で述べるように点検を実行するために所定のウェブリソース（例えばウェブページまたはウェブサービス）にアクセスすることを可能にするウェブブラウザを含むことができる。あるいは、可動点検ツールは、本明細書に記載するように点検ルーチンを提供するように構成されたソフトウェアアプリケーションを含むことができる。いくつかの実施形態では、２つの解決策（例えばソフトウェアアプリケーションとウェブサービス）を組み合わせることもできる。いずれの実施形態でも、可動点検ツールは、機械または機器の特定の部片の点検を実行する際に点検者を誘導する複数のグラフィカルユーザインタフェース（ＧＵＩ）を提供することができる。誘導は、点検者が機械の特定の部片を位置特定し、この機械部片に特有の測定を実行し、点検者の回答および測定入力をサーバ側のデータ記憶装置に記憶することを可能にする一連の質問または命令を含むことができる。回答および測定入力は、メタタグを付け、一様な方法で提供して、サーバが回答および測定入力を分析し、それらを互いに比較することができるようにすることができる。データ記憶装置に収集された点検データを分析することにより、損傷蓄積モデルの構築、機械設備の故障の予測、劣化の指示の早期提供、および機械設備の寿命を延ばすための生産性プログラムの早期提供を容易にすることもできる。複数の可動点検ツールから収集された点検データには、許可された個人が、１つまたは複数の通信ネットワークを介してサーバに動作可能に接続されたデスクトップコンピュータなどのクライアントデバイスを介してアクセスすることができる。許可された個人は、統一された欠陥記述、測定データ、グラフ、表、データ比較、画像、勧告、予測、推定などを含む詳細な点検報告を入手することができる。
【００２３】
本開示の特定の実施形態の技術的効果は、点検データ収集の照合および統一性を向上させて、欠陥を早期検出し、機械設備の故障停止を予測するための点検データの分析を可能にすることを含み得る。
【００２４】
本特許文書では、「または」および「および」という用語は、特に指定がない限り、または使用されている文脈からそうではないことが明白でない限り、「および／または」を意味するものとする。「ａ」という用語は、特に指定がない限り、または「１つまたは複数の」を使用することが明らかに不適切である場合を除き、「１つまたは複数の」を意味するものとする。「備える」、「備えている」、「含む」、および「含んでいる」という用語は、交換可能であり、限定することを意図したものではない。例えば、「含んでいる」という用語は、「含むが、それに限定されるわけではない」をいう意味であると解釈されるものとする。
【００２５】
さらに、本明細書では、「第１の」、「第２の」、および「第３の」などの用語が、様々な要素について記述するために使用されることがある。これらの用語は、１つの要素を別の要素と区別するために使用しているものであり、要素同士の所要の順序を意味しているものではない。例えば、第１の要素を第２の要素と呼んでもよく、同様に、第２の要素を第１の要素と呼んでもよく、その場合も本教示の範囲を逸脱することはない。さらに、ある要素が別の要素に「接続」または「結合」されていると述べられているときには、その要素はその別の要素に直接接続または結合されていてもよいし、あるいは１つまたは複数の介在する要素を介して、間接的に、ただし動作可能に接続または結合されていてもよいことを理解されたい。
【００２６】
「可動点検ツール」という用語は、データネットワークインタフェース、入出力インタフェース、および処理手段を有する任意の携帯可能な電子デバイスを含むものと解釈することができる。可動点検ツールの例としては、携帯電話、移動電話、スマートフォン、タブレットコンピュータ、ラップトップコンピュータ、携帯型コンピューティングデバイス、携帯情報端末、およびボアスコープなどが挙げられる。「ユーザ」および「点検者」という用語は、交換可能に使用することができ、可動点検ツールを操作する個人を含むものとして解釈されるものとする。「ターボ機械設備」という用語は、特定の実施形態で、ターボ機械、タービン、エンジン、発電機器、回転機器、および製造機器などを含み得る。「点検データ」という用語は、点検プロセス中に収集された任意のデータを含むものと解釈することができる。点検データは、回答（例えばテキスト、選択）、測定値、測定入力、画像、ビデオ、音声、表、グラフ、あるいは機械の少なくとも１つの要素、その動作、または欠陥に関連するその他の任意のデジタル情報を含み得る。
【００２７】
以下、機械設備を点検するシステムおよび方法に関係する様々な例示的な実施形態の詳細な説明を提供する。ここで図面を参照すると、図１は、本開示の特定の実施形態によるターボ機械設備を点検する例示的なシステム１００を示すブロック図である。ターボ機械設備を点検するシステム１００は、点検データを収集、管理、および記憶するデータ記憶装置１１０と関連付けられた少なくとも１つのサーバ１０５（またはウェブサービス）を含むことができる。サーバ１０５およびデータ記憶装置１１０は、点検対象の機械設備から遠隔に位置することができる。
【００２８】
ターボ機械設備を点検するシステム１００は、点検者によって使用される少なくとも１つの可動点検ツール１１５をさらに含むことができる。可動点検ツール１１５は、１つまたは複数の通信ネットワークを介してサーバ１０５およびデータ記憶装置１１０と動作可能に通信することができる。「通信ネットワーク」という用語は、例えばインターネット、イントラネット、ローカルエリアネットワーク（ＬＡＮ）、パーソナルエリアネットワーク（ＰＡＮ）、広域ネットワーク（ＷＡＮ）、仮想私設ネットワーク（ＶＰＮ）、Ｂｌｕｅｔｏｏｔｈ（登録商標）無線、イーサネット（登録商標）ネットワーク、ＩＥＥＥ８０２．１１無線周波数ネットワーク、インターネットプロトコル（ＩＰ）ネットワーク、セルラ電話ネットワーク、または物理レイヤ、リンクレイヤ機能、もしくはデータパケットを搬送するネットワークレイヤを利用するその他の任意のデータ通信ネットワーク、あるいは以上に挙げたデータネットワークの任意の組合せなど、任意の有線、ワイヤレス、または光ネットワークを意味することができる。いくつかの実施形態では、通信ネットワークは、企業ネットワーク、データセンタネットワーク、サービスプロバイダネットワーク、携帯電話事業者ネットワーク、またはそれらの任意の組合せを含む。
【００２９】
ターボ機械設備を点検するシステム１００は、ターボ機械設備１２５の測定を行う１つまたは複数の任意選択のデジタル測定ツール１２０をさらに含むことができる。デジタル測定ツール１２０は、定規、秤、センサ、検出器、フォトカメラ、ビデオカメラ、あるいはターボ機械設備１２５またはその動作に関係する測定を行う、または情報を集約するように構成されたその他の任意のデバイスを含み得るが、これらに限定されるわけではない。デジタル測定ツール１２０は、１つまたは複数の通信ネットワークを介して可動点検ツール１１５と動作可能に通信することもできる。１つの例では、デジタル測定ツール１２０は、点検者が特定のターボ機械設備要素の寸法を測定するために使用することができるデジタル定規と関係することがある。測定した寸法は、可動点検ツール１１５にワイヤレスに伝送して、さらに他の点検データ（例えば点検者の回答または測定入力）と合併することができる。いくつかの実施形態では、デジタル測定ツール１２０を、可動点検ツール１１５と一体化することもできる。
【００３０】
したがって、点検者は、可動点検ツール１１５と、任意選択でデジタル測定ツール１２０とを使用して、ターボ機械設備１２５またはその動作を点検することができる。可動点検ツール１１５によって作成または収集された点検データは、自動的にサーバ１０５に伝搬して、データ記憶装置１１０に記憶することができる。時間とともにデータ記憶装置１１０に収集される点検データを、サーバ１０５または別のコンピューティングデバイスが分析および処理することができる。例えば、損傷蓄積モデルを作成して、欠陥を監視し、機械設備の故障停止または故障を予測することができる。
【００３１】
特定のターボ機械に関連する技術者または職員など、許可された個人が、サーバ１０５およびデータ記憶装置１１０にアクセスして、このターボ機械の点検データを閲覧、監視、構成、またはダウンロードすることができる。いくつかの実施形態では、許可された個人は、点検データに基づいてサーバ１０５によって生成された点検報告を入手することができる。許可された個人は、可動点検ツール１１５またはクライアントデバイス１３０を使用して、データ記憶装置１１０の点検データにアクセスすることができる。クライアントデバイス１３０は、パーソナルコンピュータ、デスクトップコンピュータ、ラップトップコンピュータ、ワークステーション、スマートフォン、および携帯情報端末など、ネットワークインタフェースを備えたコンピューティングデバイスとすることができる。クライアントデバイス１３０は、上述の１つまたは複数の通信ネットワークを介してサーバ１０５およびデータ記憶装置１１０と動作可能に通信している。
【００３２】
図２は、本開示の実施形態によるターボ機械設備を点検する例示的な方法２００を示す流れ図である。方法２００は、ハードウェア（例えば判断論理、専用論理、プログラマブル論理、および特定用途向け集積回路）、ソフトウェア（汎用コンピュータシステムまたは機械上で動作するソフトウェアなど）、あるいはその両方の組合せを備えることができる処理論理によって実行することができる。１つの例示的な実施形態では、方法２００は、例えば、ターボ機械設備を点検するシステム１００の１つまたは複数の要素において実施することができる。
【００３３】
特定の実施形態では、方法２００は、図２に示して説明する順序とは異なる順序で実施することができる。さらに、方法２００は、本明細書には示していないが本開示から当業者には明らかである可能性がある追加のステップを有することもできる。方法２００は、図２に示して以下に概説するよりもステップ数が少ないこともある。
【００３４】
ブロック２０５で、方法２００は、可動点検ツール１１５を使用してターボ機械設備１２５の少なくとも１つのユニットを点検する要求を受信することから開始することができる。いくつかの実施形態では、点検者は、可動点検ツール１１５を使用して、点検プロセスを開始し、点検を求める要求を生成することができる。この要求が、次いで、可動点検ツール１１５またはサーバ１０５上で動作するソフトウェアアプリケーションの点検ルーチンをトリガすることができる。「ターボ機械設備のユニット」という用語は、ターボ機械の任意の要素または部片、あるいは機械全体を意味するものとして解釈するものとする。
【００３５】
ブロック２１０で、可動点検ツール１１５またはサーバ１０５のソフトウェアアプリケーションが、ターボ機械設備ユニットの点検を実行する際に可動点検ツール１１５の点検者を誘導する少なくとも１つのＧＵＩを提供する。例えば、サーバ１０５が１つまたは複数のウェブページを介してＧＵＩを提供する、あるいは可動点検ツール１１５上で動作するモバイルアプリケーションによってＧＵＩを形成することができる。ＧＵＩは、テキスト、画像、ビデオ、音声、クリック式ボタン、無線ボタン、および入力欄など、１つまたは複数のグラフィカル要素を含むことができる。
【００３６】
点検プロセスは、点検対象の特定の機械または機械の部片を識別することによって開始することができる。したがって、ブロック２１５で、可動点検ツール１１５は、点検者からＧＵＩを介して、点検対象のターボ機械設備ユニットの識別子を受信する。ターボ機械設備ユニットの識別は、ターボ機械設備ユニットのシリアルナンバーまたはその他の任意の識別子を含み得る。いくつかの実施形態では、可動点検ツール１１５は、自動的に識別を受信することができる。例えば、可動点検ツール１１５は、（例えば近距離場通信（ＮＦＣ）プロトコルまたはＢｌｕｅｔｏｏｔｈ（登録商標）を使用して）可動点検ツール１１５とターボ機械設備ユニットの間のネットワーク接続時にターボ機械設備ユニットの識別をワイヤレスで読み取ることができる。別の例では、可動点検ツール１１５は、ターボ機械設備１２５上に設けられたバーコードをスキャンして、識別を取得することができる。
【００３７】
ターボ機械設備ユニットの識別は、さらにサーバ１０５または可動点検ツール１１５が使用して、特定の点検ガイドを取り出すことができる。したがって、ブロック２２０で、可動点検ツール１１５またはサーバ１０５は、識別に基づいて、ＧＵＩを介して点検者に複数の質問を提供する。これらの質問は、ターボ機械設備ユニット中の少なくとも１つの欠陥を位置特定して測定する際に点検者を誘導することができる。
【００３８】
この複数の質問に応答して、ブロック２２５で、可動点検ツール１１５またはサーバ１０５は、ＧＵＩを介して１つまたは複数の回答を受信する。少なくとも１つの回答が、ターボ機械設備１２５のユニットの欠陥に関係する。いくつかの実施形態では、回答のうちの少なくとも１つは、ターボ機械設備１２５のユニットの選択された標準化された欠陥を含むことがある。換言すれば、回答の一部は、一様性を促進するために標準化される、または予め決定されていることがある。例えば、回答のうちの少なくとも１つは、標準化された欠陥の記述であることがある。
【００３９】
ブロック２３０で、可動点検ツール１１５またはサーバ１０５は、ターボ機械設備１２５のユニットの欠陥に関連する少なくとも１つの測定入力を取得する。測定入力は、点検者が手作業で行うことができ、これを、その後にＧＵＩのそれぞれの入力欄に入力することができる。他の実施形態では、測定入力は、デジタル測定ツール１２０、カメラ、センサ、検出器、またはその他のデジタル測定デバイスから測定データを受信することによって、自動的に取得することができる。測定入力とは、電気信号（アナログまたはデジタル）、数値、数値範囲、画像、音声、およびビデオなどを指すことができる。
【００４０】
ブロック２２０、２２５、および２３０は、必要に応じて複数回繰り返すことができる。したがって、ブロック２２０から２３０で、点検者は、点検プロセス内で誘導され、１つまたは複数の測定を行う、あるいは欠陥または特定のターボ機械設備要素を特徴付ける１つまたは複数の入力を行うように命令される。例えば、第１の質問は、「何らかの欠陥がありますか？」というものであることがある。点検者は、ＧＵＩを介してそれぞれのボタンをクリックすることによって「はい」または「いいえ」で回答するように促されることがある。点検者がボタンをクリックすると、第１の回答が自動的にレンダリングされ、サーバ１０５に送達される。さらに、この第１の回答に応答して、第２の質問がＧＵＩを介して与えられることがある。第２の質問は、「機械のどこに欠陥がありますか？」というテキストと、複数の所定の回答とを含むことがある。点検者は、単純にそれらの所定の回答のうちの１つを選択することによって、第２の回答を与えることができる。第２の回答に応答して、点検者に、ＧＵＩを介して、どのようにして特定のターボ機械設備部分に手を届かせるかということ、およびどのようにして特定の測定を行うかということについての命令が与えられる。測定は、点検者が手作業で行うことができ、測定値は、第３の回答としてＧＵＩのそれぞれの欄に入力することができる。あるいは、可動点検ツール１１５により、デジタル測定ツール１２０に特定の測定を行わせ、デジタル測定ツール１２０からそれぞれの測定値を電子的に（例えばワイヤレスに）受信することもできる。いくつかの実施形態では、点検者の回答は、可動点検ツール１１５のカメラ、あるいは可動点検ツール１１５に接続されたその他の任意のカメラまたはその他の任意の測定デバイスによって取り込まれた画像、音声、またはビデオを含むことがある。質問および回答の数は限定されず、個々の機械および欠陥に応じてカスタマイズすることができる。回答は、欠陥あるいはターボ機械設備ユニットまたはその動作を特徴付けることができるものであればどのようなものでも含むことができる。
【００４１】
特定の実施形態では、各回答および各測定入力は、可動点検ツール１１５またはサーバ１０５が、その回答または測定入力が行われた時間および日付と関連付けることができる。さらに、いくつかの実施形態では、可動点検ツール１１５またはサーバ１０５は、メタデータタグを回答および測定入力に割り当てることができる。メタデータタグは、ターボ機械設備の識別に基づいて作成することができる。したがって、メタデータタグは、特定の回答および測定入力を、特定のターボ機械設備ユニットと関連付ける。メタデータタグは、さらに、データ記憶装置１１０に記憶された点検データの検索、問合せ、処理、および分析の助けとなる。
【００４２】
ブロック２３５で、サーバ１０５は、メタデータタグを含む少なくとも１つの回答とメタデータタグを含む少なくとも１つの測定入力とを含む点検データを、データ記憶装置１１０に記憶する。特定の実施形態では、点検データは、複数のクライアントデバイス１１０および複数の可動点検ツール１１５が利用して閲覧、監視、およびダウンロードすることができるデータコンテナに記憶される。データコンテナは、検索および問合せするように動作可能なデータベースの一部とすることができる。
【００４３】
特定の実施形態では、サーバ１０５が点検データを処理して、少なくとも１つのターボ機械設備ユニットに関連する点検報告を生成することができる。次いで、報告を、許可された個人または点検者に送達することができる。さらに、特定の実施形態では、データ記憶装置１１０に記憶された点検データを使用して、特定の欠陥または特定のターボ機械設備ユニットに関連する少なくとも１つの損傷蓄積モデルを構築または更新することができる。損傷蓄積モデルは、個別に作成することができ、欠陥に応じて異なっていても良い。例えば、いくつかの損傷蓄積モデルは、確率論的モデルまたは発見的モデルを含み得る。サーバ１０５は、さらに、損傷蓄積モデルに基づいてターボ機械設備１２５のユニットの故障または故障停止を予測することができる。換言すれば、サーバ１０５は、損傷蓄積モデルに基づいてターボ機械設備ユニットの残り寿命を決定することができる。
【００４４】
さらに別の実施形態では、データ記憶装置１１０は、複数のターボ機械またはターボ機械設備１２５の複数のユニットからの点検データを集約することができる。サーバ１０５は、点検データを定期的に評価し、この評価および所定の基準に基づいて、複数のターボ機械設備ユニットから点検する候補ターボ機械設備ユニットを選択することができる。このプロセスにより、点検のプランニングが容易になり、比較的新しい機械設備ユニットはそれほど頻繁に点検せず、欠陥が発見された比較的古いターボ機械設備ユニットはより頻繁に点検することができるようになる。
【００４５】
図３は、本開示のいくつかの実施形態によるターボ機械設備を点検する例示的なコンピューティングシステム３００を示すブロック図である。例えば、コンピューティングシステム３００は、サーバ１０５、可動点検ツール１１５、およびクライアントデバイス１３０のうちの少なくとも１つとすることができる。この図に示すように、コンピューティングシステム３００は、プログラム論理３２０（例えばソフトウェア）を記憶し、点検データなどのデータ３３０も記憶することができる、メモリ３１０を含むことができる。メモリ３１０は、オペレーティングシステム３４０を含むこともできる。
【００４６】
プロセッサ３５０は、オペレーティングシステム３４０を利用してプログラム論理３２０を実行し、それによってデータ３３０を利用することもできる。データバス３６０は、メモリ３１０とプロセッサ３５０の間の通信を提供することができる。ユーザは、キーボード、キーパッド、マウス、タッチスクリーン、ディスプレイ、コントロールパネル、またはコンピューティングシステム３００との間でデータを通信することができるその他の任意のデバイスなど、少なくとも１つのユーザインタフェースデバイス３７０を介して、コンピューティングシステム３００と対話することができる。いくつかの実施形態では、ユーザインタフェースデバイス３７０は、フォトカメラまたはビデオカメラを含むことができる。コンピューティングシステム３００は、入出力（Ｉ／Ｏ）インタフェース３８０を介して他のネットワークデバイス（例えばサーバ、可動点検ツールなど）と通信することができる。
【００４７】
さらに、コンピューティングシステム３００、およびそれにより実施されるプログラム論理３２０は、ソフトウェア、ハードウェア、ファームウェア、またはそれらの任意の組合せを含むことができる。コンピューティングシステム３００は、上述したターボ機械設備を点検する方法を実行することができる。また、複数のシステム３００を利用し、それにより本明細書に記載する様々な特徴を１つまたは複数の異なるシステム３００上で実行することもできることも理解されたい。
【００４８】
したがって、本明細書に記載する特定の実施形態により、ターボ機械設備の点検を行うことができる。本文書では、例示的な実施形態によるシステム、方法、コンピュータプログラム製品のブロック図を参照している。これらのブロック図のブロックのうちの少なくとも一部、およびこれらのブロック図の複数のブロックの組合せは、少なくとも部分的にはコンピュータプログラム命令によって実施することもできることは理解されるであろう。これらのコンピュータプログラム命令を、汎用コンピュータ、特殊目的コンピュータ、特殊目的ハードウェア型コンピュータ、またはその他のプログラマブルデータ処理装置にロードして機械を作製し、コンピュータまたはその他のプログラマブルデータ処理装置上で命令を実行することにより、記載したブロック図のブロックのうちの少なくとも一部またはブロック図の複数のブロックの組合せの機能を実施する手段を生じるようにすることができる。
【００４９】
これらのコンピュータプログラム命令は、コンピュータまたはその他のプログラマブルデータ処理装置に特定の方法で機能するように指示することができる非一時的なコンピュータ可読メモリに記憶して、コンピュータ可読メモリに記憶された命令が、１つまたは複数のブロックに指定された機能を実施する命令手段を含む製造品を生じるようにすることもできる。また、これらのコンピュータプログラム命令を、コンピュータまたはその他のプログラマブルデータ処理装置にロードして、一連の動作ステップをコンピュータまたはその他のプログラマブル装置上で実行させて、コンピュータ実施プロセスを生成し、コンピュータまたはその他のプログラマブル装置上で実行される命令が１つまたは複数のブロックに指定される機能を実施する動作を提供するようにすることもできる。
【００５０】
本明細書に記載するシステムの１つまたは複数の構成要素、および本明細書に記載する方法の１つまたは複数の要素は、コンピュータのオペレーティングシステム上で実行されるアプリケーションプログラムを介して実施することができる。それらは、手持ち型デバイス、マルチプロセッサシステム、マイクロプロセッサ型の、またはプログラマブルな大衆消費電子製品、ミニコンピュータ、およびメインフレームコンピュータなど、他のコンピューティングシステム構成で実施することもできる。
【００５１】
本明細書に記載するシステムおよび方法の構成要素であるアプリケーションプログラムは、特定の抽象データタイプを実施し、特定のタスクまたはアクションを実行するルーチン、プログラム、構成要素、およびデータ構造を含むことができる。分散型コンピューティング環境では、アプリケーションプログラム（の全体または一部）が、ローカルメモリに位置していてもよいし、他の記憶装置に位置していてもよい。これに加えて、または別法として、アプリケーションプログラム（の全体または一部）が、遠隔メモリまたは記憶装置に位置して、複数のタスクが通信ネットワークを介してリンクされた複数の遠隔処理デバイスによって実行される状況を可能にすることもできる。
【００５２】
本明細書に記載する例示的な記述に関係する、それらの記述の多数の修正形態およびその他の実施形態は、以上の説明および関連する図面に与えられる教示の利益を有する者であれば思いつくであろう。したがって、本開示は、多数の形態で実施することができるものであり、上述した例示的な実施形態に限定されないことは理解されるであろう。したがって、本開示は開示した特定の実施形態に限定されないこと、および様々な修正形態およびその他の実施形態は添付の特許請求の範囲に含まれるように意図されていることを理解されたい。本明細書では具体的な用語を利用したが、それらの用語は、総称的かつ説明的な意味でのみ用いたものであり、限定のために用いたものではない。
【００５３】
最後に、代表的な実施態様を以下に示す。
［実施態様１］
機械を点検するシステムであって、
少なくとも１つの通信ネットワークを介して複数のクライアントデバイス（１３０）がアクセス可能なデータ記憶デバイス（１１０）を含むサーバ（１０５）、ならびに
前記少なくとも１つの通信ネットワークを介して前記サーバ（１０５）に動作可能に結合された可動点検ツール（１１５）であり、
機械の少なくとも１つのユニットの点検を実行する要求を受信する動作と、
前記点検を実行する際に前記可動点検ツール（１１５）のユーザを誘導するグラフィカルユーザインタフェースを提供する動作と、
前記グラフィカルユーザインタフェースを介して点検対象の前記機械の前記ユニットの識別を受信する動作と、
前記識別に基づいて、前記グラフィカルユーザインタフェースを介して複数の質問を前記ユーザに提供する動作と、
前記複数の質問に応答して、前記ユーザから少なくとも１つの回答を受信する動作であり、前記少なくとも１つの回答が前記機械の前記ユニットの欠陥に関係している動作と、
前記機械の前記ユニットの前記欠陥に関連する少なくとも１つの測定入力を取得する動作と、
前記サーバ（１０５）に、前記回答のうちの前記少なくとも１つおよび前記少なくとも１つの測定入力を前記データ記憶デバイス（１１０）に記憶させる動作と
を実行するように動作可能な可動点検ツール（１１５）を備える、システム。
［実施態様２］
前記可動点検ツール（１１５）が、
時間および日付を前記少なくとも１つの回答および前記少なくとも１つの測定入力と関連付ける動作と、
前記少なくとも１つの回答および前記少なくとも１つの測定入力にメタデータタグを割り当てる動作であり、前記メタデータタグが前記機械の前記ユニットと関連付けられる動作と
を実行するように動作可能である、実施態様１に記載のシステム。
［実施態様３］
前記機械の前記ユニットの前記識別が、前記機械の前記ユニットに関連するシリアルナンバーを含む、実施態様１に記載のシステム。
［実施態様４］
前記複数の質問のうちの少なくとも１つが、前記欠陥を位置特定および測定する際に前記ユーザを誘導する、実施態様１に記載のシステム。
［実施態様５］
前記少なくとも１つの回答が、前記機械の前記ユニットの選択された標準化された欠陥を含む、実施態様１に記載のシステム。
［実施態様６］
前記可動点検ツール（１１５）と動作可能に通信するデジタル測定ツール（１２０）をさらに備え、前記可動点検ツール（１１５）が、
前記デジタル測定ツール（１２０）に前記欠陥を測定させて測定値を生成させる動作と、
前記デジタル測定ツール（１２０）から前記測定値をワイヤレスに受信する動作であり、前記測定値が前記少なくとも１つの測定入力の少なくとも一部を含む動作と
を実行するようにさらに動作可能である、実施態様１に記載のシステム。
［実施態様７］
前記少なくとも１つの測定入力が、前記欠陥の画像またはビデオを含む、実施態様１に記載のシステム。
［実施態様８］
前記回答のうちの前記少なくとも１つおよび前記少なくとも１つの測定入力が、複数のクライアントデバイス（１３０）および複数の可動点検ツール（１１５）が利用可能なデータコンテナに記憶され、
前記データコンテナに関連するデータが、検索および問合せに利用可能である、実施態様１に記載のシステム。
［実施態様９］
前記可動点検ツール（１１５）および前記サーバ（１０５）のうちの少なくとも１つが、
前記データ記憶デバイス（１１０）に記憶された前記少なくとも１つの回答および前記少なくとも１つの測定入力に基づいて損傷蓄積モデルを構築する動作と、
前記損傷蓄積モデルに基づいて、前記機械の前記ユニットの故障を予測する動作と
を実行するようにさらに動作可能である、実施態様１に記載のシステム。
［実施態様１０］
ターボ機械設備（１２５）を点検する方法であって、
可動点検ツール（１１５）が、ターボ機械設備（１２５）の少なくとも１つのユニットを点検する要求を受信するステップと、
ターボ機械設備の前記ユニットの点検を実行する際に前記可動点検ツール（１１５）のユーザを誘導するための、前記可動点検ツール（１１５）と関連付けられたグラフィカルユーザインタフェースを提供するステップと、
前記グラフィカルユーザインタフェースを介して点検対象のターボ機械設備（１２５）の前記ユニットの識別を受信するステップと、
前記識別に基づいて、前記グラフィカルユーザインタフェースを介して複数の質問を前記ユーザに提供するステップと、
前記複数の質問に応答して、前記可動点検ツール（１１５）が少なくとも１つの回答を受信するステップであり、前記少なくとも１つの回答がターボ機械設備（１２５）の前記ユニットの欠陥に関係しているステップと、
ターボ機械設備（１２５）の前記ユニットの前記欠陥に関連する少なくとも１つの測定入力を取得するステップと、
サーバ（１０５）が、前記少なくとも１つの回答および前記少なくとも１つの測定入力をデータ記憶デバイス（１１０）に記憶するステップと
を含む、方法。
［実施態様１１］
時間および日付を前記少なくとも１つの回答および前記少なくとも１つの測定入力と関連付けるステップと、
前記少なくとも１つの回答および前記少なくとも１つの測定入力にメタデータタグを割り当てるステップであり、前記メタデータタグがターボ機械設備（１２５）の前記ユニットと関連付けられるステップと
をさらに含む、実施態様１０に記載の方法。
［実施態様１２］
ターボ機械設備（１２５）の前記ユニットの前記識別が、ターボ機械設備（１２５）の前記ユニットに関連するシリアルナンバーを含む、実施態様１０に記載の方法。
［実施態様１３］
前記複数の質問のうちの少なくとも１つが、前記欠陥を位置特定および測定する際に前記ユーザを誘導する、実施態様１０に記載の方法。
［実施態様１４］
前記少なくとも１つの回答が、機械設備の前記ユニットの選択された標準化された欠陥を含む、実施態様１０に記載の方法。
［実施態様１５］
ターボ機械設備（１２５）の前記ユニットの前記欠陥に関連する前記少なくとも１つの測定入力を取得する前記ステップが、
前記可動点検ツール（１１５）が、デジタル測定ツール（１２０）に前記欠陥の測定値を決定させるステップと、
前記可動点検ツール（１１５）が、前記デジタル測定ツール（１２０）から前記測定値をワイヤレスに受信するステップとを含む、実施態様１０に記載の方法。
［実施態様１６］
前記少なくとも１つの測定入力が、前記欠陥の画像またはビデオを含む、実施態様１０に記載の方法。
［実施態様１７］
前記少なくとも１つの回答および前記少なくとも１つの測定入力が、複数のクライアントデバイス（１３０）および複数の可動点検ツール（１１５）が利用可能なデータコンテナに記憶され、
前記データコンテナが、検索および問合せするように動作可能なデータベースの一部である、実施態様１０に記載の方法。
［実施態様１８］
前記データ記憶デバイス（１１０）に記憶された前記少なくとも１つの回答および前記少なくとも１つの測定入力に基づいて損傷蓄積モデルを構築するステップと、
前記損傷蓄積モデルに基づいて、ターボ機械設備（１２５）の前記ユニットの故障を予測するステップとをさらに含む、実施態様１０に記載の方法。
［実施態様１９］
前記サーバ（１０５）が、ターボ機械設備（１２５）の複数のユニットに関係する点検データを前記データ記憶デバイス（１１０）に収集するステップであり、前記点検データが、前記少なくとも１つの回答および前記少なくとも１つの測定入力を含むステップと、
前記サーバ（１０５）が、前記点検データを定期的に評価するステップと、
前記評価に基づいて、ターボ機械設備（１２５）の前記複数のユニットから、点検のためのターボ機械設備（１２５）の１つの候補ユニットを選択するステップとをさらに含む、実施態様１０に記載の方法。
［実施態様２０］
ソフトウェアコードを記憶した非一時的プロセッサ可読媒体であって、前記ソフトウェアコードが１つまたは複数のプロセッサによって実行されたときに、前記ソフトウェアコードが、前記１つまたは複数のプロセッサに、
可動点検ツール（１１５）がターボ機械設備（１２５）の少なくとも１つのユニットを点検する要求を受信する動作と、
ターボ機械設備（１２５）の前記ユニットの点検を実行する際に前記可動点検ツール（１１５）のユーザを誘導する、前記可動点検ツール（１１５）と関連付けられたグラフィカルユーザインタフェースを提供する動作と、
前記グラフィカルユーザインタフェースを介して点検対象のターボ機械設備（１２５）の前記ユニットの識別を受信する動作と、
前記識別に基づいて、前記グラフィカルユーザインタフェースを介して複数の質問を前記ユーザに提供する動作と、
前記複数の質問に応答して、前記可動点検ツール（１１５）が少なくとも１つの回答を受信する動作であり、前記少なくとも１つの回答がターボ機械設備（１２５）の前記ユニットの欠陥に関連している動作と、
ターボ機械設備（１２５）の前記ユニットの前記欠陥に関連する少なくとも１つの測定入力を取得する動作と、
サーバ（１０５）に、前記少なくとも１つの回答および前記少なくとも１つの測定入力をデータ記憶デバイス（１１０）に記憶させる動作と
を実施させる、非一時的プロセッサ可読媒体。
【符号の説明】
【００５４】
１００  システム
１０５  サーバ
１１０  データ記憶装置
１１５  可動点検ツール
１２０  デジタル測定ツール
１２５  ターボ機械設備
１３０  クライアントデバイス
２００  方法
２０５  ブロック
２１０  ブロック
２１５  ブロック
２２０  ブロック
２２５  ブロック
２３０  ブロック
２３５  ブロック
３００  コンピューティングシステム
３１０  メモリ
３２０  プログラム論理
３３０  データ
３４０  オペレーティングシステム
３５０  プロセッサ
３６０  データバス
３７０  ユーザインタフェースデバイス
３８０  入出力（Ｉ／Ｏ）インタフェース
【図１】
2018037065.tif 000003
【図２】
2018037065.tif 000004
【図３】
2018037065.tif 000005
【外国語明細書】
2018037065000001.pdf